(57)【要約】【課題】携帯端末の使用時に、送信電力に適合するマッチング回路を探し出すのに時間が掛からないようにするための出荷時の調整方式を提供する。【解決手段】電力計測判定装置２により、携帯端末１が出力する送信信号の送信電力を測定し、測定結果が規定電力でないときに「規定電力でないことを示す信号」を出力し、規定電力であるときに「規定電力であることを示す信号」を出力する。携帯端末１により、送信すべき入力信号を増幅して複数のマッチング回路５２のうちから選択したマッチング回路５２を介して送信信号として出力するとともに、電力計測判定装置２より「規定電力でないことを示す信号」を受けたときには入力信号の増幅の度合いを変化させ、「規定電力であることを示す信号」を受けたときには規定電力の値と選択されているマッチング回路５２の識別子とを記憶する。【選択図】      図１
2005020132.tif 000002
【特許請求の範囲】
【請求項１】
複数のマッチング回路を有し自携帯端末が送信する信号の送信電力に応じて前記マッチング回路を切り替えて使用する携帯端末を使用しているときに、前記携帯端末の前記送信電力が変化した場合この変化した前記送信電力に適合した前記マッチング回路を指定するための携帯端末の出荷時調整方式であって、
前記携帯端末が出力する送信信号の前記送信電力を測定し、この測定結果が予め定めた規定電力でないときに「規定電力でないことを示す信号」を出力し、前記測定結果が前記規定電力であるときに「規定電力であることを示す信号」を出力する電力計測判定装置と、
送信すべき入力信号を入力して増幅し、この増幅した前記入力信号を複数のマッチング回路のうちから選択した前記マッチング回路を介して前記送信信号として出力するとともに、前記電力計測判定装置より前記「規定電力でないことを示す信号」を受けたときには前記入力信号の増幅の度合いを変化させ、前記電力計測判定装置より前記「規定電力であることを示す信号」を受けたときには前記規定電力の値と前記選択されている前記マッチング回路の識別子とを、自携帯端末の使用時に前記送信電力に適合した前記マッチング回路として指定できるようにするために記憶する前記携帯端末と、を備えたことを特徴とする携帯端末の出荷時調整方式。
【請求項２】
前記測定結果が予め定めた規定電力でないときに、前記「規定電力でないことを示す信号」を出力する替わりに、前記測定結果が予め定めた規定電力より小の場合は「規定電力に達していないことを示す信号」を出力し、前記測定結果が予め定めた規定電力より大の場合は「規定電力より大であることを示す信号」を出力する前記電力計測判定装置と、
前記電力計測判定装置より前記「規定電力に達していないことを示す信号」を受けたときには前記入力信号の前記増幅の度合いを増やすように変化させ、前記電力計測判定装置より前記「規定電力より大であることを示す信号」を受けたときには前記入力信号の前記増幅の度合いを減らすように変化させる前記携帯端末と、を備えたことを特徴とする請求項１記載の携帯端末の出荷時調整方式。
【請求項３】
前記携帯端末は、
送信すべき前記入力信号を入力し増幅の度合いを指定する制御電圧を受け前記入力信号を増幅する電力増幅手段と、
前記複数のマッチング回路を有しこの複数のマッチング回路のうちから一つのマッチング回路を選択しこの選択した前記マッチング回路により前記電力増幅手段が増幅した前記入力信号を受けこの信号を前記送信信号として自携帯端末の外部に出力するマッチング手段と、
前記電力増幅手段に前記制御電圧を出力し、「制御電圧の変更を指示する信号」を受けて前記制御電圧を変化させて前記電力増幅手段に出力する電圧制御手段と、
前記電力計測判定装置より前記「規定電力でないことを示す信号」を受け前記電圧制御手段に前記「制御電圧の変更を指示する信号」を出力し、前記電力計測判定装置より前記「規定電力であることを示す信号」を受け受けたときの前記規定電力の値と前記マッチング手段により選択されている前記マッチング回路の識別子とを、自携帯端末の使用時に前記送信電力に適合した前記マッチング回路として指定できるようにするために記憶する制御手段と、を備えたことを特徴とする請求項１又は２記載の携帯端末の出荷時調整方式。
【請求項４】
前記携帯端末は、
前記電力計測判定装置より前記「規定電力であることを示す信号」を受けたときに、前記電圧制御手段が前記電力増幅手段に出力している前記制御電圧が予め定めた値より小さい場合、前記「規定電力であることを示す信号」を受けたときの前記規定電力の値と前記マッチング手段により選択されている前記マッチング回路の識別子とを記憶し、前記電力計測判定装置より前記「規定電力であることを示す信号」を受けたときに、前記電圧制御手段が前記電力増幅手段に出力している前記制御電圧が予め定めた値より小さくない場合、前記マッチング手段にマッチング回路の変更を指示する前記制御手段と、
前記制御手段より前記マッチング回路の変更の指示を受け、まだ選択されていないマッチング回路を選択しこの選択した前記マッチング回路により前記電力増幅手段が増幅した前記入力信号を受けこの信号を前記送信信号として自携帯端末の外部に出力する前記マッチング手段と、を備えたことを特徴とする請求項３記載の携帯端末の出荷時調整方式。
【請求項５】
前記制御手段は、前記規定電力の値と前記マッチング回路の識別子とともに前記制御電圧の値を記憶するようにしたことを特徴とする請求項３又は４記載の携帯端末の出荷時調整方式
【請求項６】
前記測定結果が予め定めた規定電力でないときに、「規定電力でないことを示す信号」を出力する替わりに、前記測定結果が予め定めた規定電力より小の場合は「規定電力に達していないことを示す信号」を出力し、前記測定結果が予め定めた規定電力より大の場合は「規定電力より大であることを示す信号」を出力する前記電力計測判定装置と；
前記電力計測判定装置より前記「規定電力に達していないことを示す信号」を受けたときに「制御電圧を大きくするよう指示する信号」を前記電圧制御手段に出力し、前記電力計測判定装置より前記「規定電力より大であることを示す信号」を受けたときに「制御電圧を小さくするよう指示する信号」を前記電圧制御手段に出力する前記制御手段と、
「制御電圧を大きくするよう指示する信号」を受けて前記制御電圧を予め定めた値分増やして前記電力増幅手段に出力し、「制御電圧を小さくするよう指示する信号」を受けて前記制御電圧を予め定めた値分減らして前記電力増幅手段に出力する前記電圧制御手段と、を有する前記携帯端末と；を備えたことを特徴とする請求項３、４又は５記載の携帯端末の出荷時調整方式。
【請求項７】
前記電力計測判定装置は、
前記携帯端末が出力する前記送信信号の前記送信電力を測定する電力測定器と、
前記電力測定器が測定した電力と前記規定電力とを比較し、前記測定電力が前記規定電力でないときに「規定電力でないことを示す信号」を出力し、前記測定電力が前記規定電力であるときに「規定電力であることを示す信号」を出力する判定器と、を備えたことを特徴とする請求項１、２、３、４、５又は６記載の携帯端末の出荷時調整方式。
【発明の詳細な説明】
【０００１】
【発明の属する技術分野】
本発明は携帯端末の出荷時調整方式に関し、特に複数のマッチング回路を有し自携帯端末が送信する信号の送信電力に応じてマッチング回路を切り替えて使用する携帯端末の出荷時調整方式に関する。
【０００２】
【従来の技術】
従来、複数のマッチング回路を有しこれらの回路を切り替えて使用する携帯電話端末等の携帯端末は、この端末と基地局との距離により送信電力を予め定めた規定電力に切り替えて使用している。規定電力とは、例えば、３ＧＰＰ（規格団体名）で規定されているものは、３３ｄＢｍ〜５ｄＢｍで２ｄＢｍ間隔で１５段階に分かれている（例えば、１ｍＷ＝０ｄＢｍである。）。そして、携帯端末の使用時この携帯端末の移動により携帯端末と基地局との距離が変化し、携帯端末はこの変化に応じて送信電力を切り替える。携帯端末は送信電力を切り替える毎に、複数のマッチング回路のうちのどのマッチング回路がこの送信電力に適合する回路なのかをこの複数のマッチング回路を順に切り替えて使用することにより探し出し、この探し出したマッチング回路をこの送信電力に適合したマッチング回路として使用するようにしている（例えば、特許文献１参照）。
【０００３】
【特許文献１】
特開昭５７−６０７３９号公報（第２頁上右欄）
【０００４】
【発明が解決しようとする課題】
上述した従来の携帯端末は、この携帯端末の使用時、送信電力を切り替える毎に、複数のマッチング回路のうちのどのマッチング回路がこの送信電力に適合する回路なのかをこの複数のマッチング回路を順に切り替えて使用することにより探し出し、この探し出したマッチング回路をこの送信電力に適合したマッチング回路として使用するようにしているため、送信電力を切り替えるときに、複数のマッチング回路を順に切り替えて使用して適合するマッチング回路を探し出すので、送信電力に適合するマッチング回路を探し出すのに時間が掛かり、マッチング回路を探し出す間マッチング不整合の状態となるという問題がある。
【０００５】
本発明の目的はこのような従来の欠点を除去するため、携帯端末の使用時に、送信電力に適合するマッチング回路を探し出すのに時間が掛からず、マッチング回路を探し出す間マッチング不整合の状態とならないようにするための携帯端末の出荷時調整方式に関する。
【０００６】
【課題を解決するための手段】
本発明の携帯端末の出荷時調整方式は、複数のマッチング回路を有し自携帯端末が送信する信号の送信電力に応じて前記マッチング回路を切り替えて使用する携帯端末を使用しているときに、前記携帯端末の前記送信電力が変化した場合この変化した前記送信電力に適合した前記マッチング回路を指定するための携帯端末の出荷時調整方式であって、
前記携帯端末が出力する送信信号の前記送信電力を測定し、この測定結果が予め定めた規定電力でないときに「規定電力でないことを示す信号」を出力し、前記測定結果が前記規定電力であるときに「規定電力であることを示す信号」を出力する電力計測判定装置と、
送信すべき入力信号を入力して増幅し、この増幅した前記入力信号を複数のマッチング回路のうちから選択した前記マッチング回路を介して前記送信信号として出力するとともに、前記電力計測判定装置より前記「規定電力でないことを示す信号」を受けたときには前記入力信号の増幅の度合いを変化させ、前記電力計測判定装置より前記「規定電力であることを示す信号」を受けたときには前記規定電力の値と前記選択されている前記マッチング回路の識別子とを、自携帯端末の使用時に前記送信電力に適合した前記マッチング回路として指定できるようにするために記憶する前記携帯端末と、を備えて構成されている。
【０００７】
また、本発明の携帯端末の出荷時調整方式は、前記測定結果が予め定めた規定電力でないときに、前記「規定電力でないことを示す信号」を出力する替わりに、前記測定結果が予め定めた規定電力より小の場合は「規定電力に達していないことを示す信号」を出力し、前記測定結果が予め定めた規定電力より大の場合は「規定電力より大であることを示す信号」を出力する前記電力計測判定装置と、前記電力計測判定装置より前記「規定電力に達していないことを示す信号」を受けたときには前記入力信号の前記増幅の度合いを増やすように変化させ、前記電力計測判定装置より前記「規定電力より大であることを示す信号」を受けたときには前記入力信号の前記増幅の度合いを減らすように変化させる前記携帯端末と、を備えて構成されている。
【０００８】
更に、本発明の携帯端末の出荷時調整方式の前記携帯端末は、
送信すべき前記入力信号を入力し増幅の度合いを指定する制御電圧を受け前記入力信号を増幅する電力増幅手段と、
前記複数のマッチング回路を有しこの複数のマッチング回路のうちから一つのマッチング回路を選択しこの選択した前記マッチング回路により前記電力増幅手段が増幅した前記入力信号を受けこの信号を前記送信信号として自携帯端末の外部に出力するマッチング手段と、
前記電力増幅手段に前記制御電圧を出力し、「制御電圧の変更を指示する信号」を受けて前記制御電圧を変化させて前記電力増幅手段に出力する電圧制御手段と、
前記電力計測判定装置より前記「規定電力でないことを示す信号」を受け前記電圧制御手段に前記「制御電圧の変更を指示する信号」を出力し、前記電力計測判定装置より前記「規定電力であることを示す信号」を受け受けたときの前記規定電力の値と前記マッチング手段により選択されている前記マッチング回路の識別子とを、自携帯端末の使用時に前記送信電力に適合した前記マッチング回路として指定できるようにするために記憶する制御手段と、を備えて構成されている。
【０００９】
また、本発明の携帯端末の出荷時調整方式の前記携帯端末は、
前記電力計測判定装置より前記「規定電力であることを示す信号」を受けたときに、前記電圧制御手段が前記電力増幅手段に出力している前記制御電圧が予め定めた値より小さい場合、前記「規定電力であることを示す信号」を受けたときの前記規定電力の値と前記マッチング手段により選択されている前記マッチング回路の識別子とを記憶し、前記電力計測判定装置より前記「規定電力であることを示す信号」を受けたときに、前記電圧制御手段が前記電力増幅手段に出力している前記制御電圧が予め定めた値より小さくない場合、前記マッチング手段にマッチング回路の変更を指示する前記制御手段と、
前記制御手段より前記マッチング回路の変更の指示を受け、まだ選択されていないマッチング回路を選択しこの選択した前記マッチング回路により前記電力増幅手段が増幅した前記入力信号を受けこの信号を前記送信信号として自携帯端末の外部に出力する前記マッチング手段と、を備えて構成されている。
【００１０】
更に、本発明の携帯端末の出荷時調整方式の前記制御手段は、前記規定電力の値と前記マッチング回路の識別子とともに前記制御電圧の値を記憶するようにしている。
【００１１】
また、本発明の携帯端末の出荷時調整方式は、前記測定結果が予め定めた規定電力でないときに、「規定電力でないことを示す信号」を出力する替わりに、前記測定結果が予め定めた規定電力より小の場合は「規定電力に達していないことを示す信号」を出力し、前記測定結果が予め定めた規定電力より大の場合は「規定電力より大であることを示す信号」を出力する前記電力計測判定装置と；
前記電力計測判定装置より前記「規定電力に達していないことを示す信号」を受けたときに「制御電圧を大きくするよう指示する信号」を前記電圧制御手段に出力し、前記電力計測判定装置より前記「規定電力より大であることを示す信号」を受けたときに「制御電圧を小さくするよう指示する信号」を前記電圧制御手段に出力する前記制御手段と、
「制御電圧を大きくするよう指示する信号」を受けて前記制御電圧を予め定めた値分増やして前記電力増幅手段に出力し、「制御電圧を小さくするよう指示する信号」を受けて前記制御電圧を予め定めた値分減らして前記電力増幅手段に出力する前記電圧制御手段と、を有する前記携帯端末と；を備えて構成されている。
【００１２】
【発明の実施の形態】
次に、本発明の実施の形態について図面を参照して説明する。
【００１３】
図１は、本発明の携帯端末の出荷時調整方式の一つの実施の形態を示すブロック図である。
【００１４】
図１に示す本実施の形態は、携帯端末１の出力する送信電力を測定し判定結果を出力する電力計測判定装置２と、電力計測判定装置２が出力する判定結果を受け調整する携帯電話端末等の携帯端末１とにより構成する。
【００１５】
電力計測判定装置２は、携帯端末１が出力する送信信号の送信電力を測定する電力測定器２１と、電力測定器２１が測定した電力と規定電力（例えば、３ＧＰＰで規定されている、３３ｄＢｍ〜５ｄＢｍ）とを比較し、測定電力が規定電力でないときに「規定電力でないことを示す信号」を出力し、測定電力が規定電力であるときに「規定電力であることを示す信号」を出力するパーソナルコンピュータ等の判定器２２とにより構成する。
【００１６】
携帯端末１は、送信すべき入力信号を入力し増幅の度合いを指定する制御電圧を受け入力信号を増幅する電力増幅手段（電力増幅部６）と、複数のマッチング回路５２を有しこの複数のマッチング回路５２のうちの一つのマッチング回路５２により電力増幅部６が増幅した入力信号を受け送信信号として携帯端末１の外部に出力するマッチング手段５と、電力増幅部６に制御電圧を出力し、「制御電圧の変更を指示する信号」を受けて制御電圧を変化させて電力増幅部６に出力する電圧制御手段（電圧制御部７）と、電力計測判定装置２より「規定電力でないことを示す信号」を受け電圧制御部７に「制御電圧の変更を指示する信号」を出力し、電力計測判定装置２より「規定電力であることを示す信号」を受け受けたときの規定電力の値と制御電圧の値とマッチング手段５により選択されているマッチング回路５２の識別子とを、自携帯端末１の使用時に送信電力に適合したマッチング回路５２として指定できるようにするために記憶する制御手段４とにより構成する。
【００１７】
制御手段４は制御部４１とメモリ４２とにより構成する。
【００１８】
マッチング手段５は、マッチング切り替え回路５１と複数のマッチング回路５２と切り替えスイッチ５３とにより構成し、マッチング切り替え回路５１は、制御部４１よりマッチング回路５２の変更指示を受けマッチング回路５２を切り替える。切り替えスイッチ５３は、マッチング回路５２の出力する送信信号をアンテナ３に出力するか電力計測判定装置２に出力するかを切り替える。
次に、本実施の形態の携帯端末の出荷時調整方式の動作を図２を参照して詳細に説明する。
【００１９】
図２は、本発明の実施の形態の動作の一例を示すフローチャートである。
【００２０】
図１において、図２のステップ２１では、次のように初期設定する。切り替えスイッチ５３をマッチング回路５２の出力する送信信号を電力計測判定装置２に出力するように切り替えておく。マッチング切り替え回路５１は予め第１のマッチング回路５２を選択しておく。判定器２２等で使用する規定電力を例えば３３ｄＢｍとしておく。そして、電圧制御部７は制御電圧を例えば２．２Ｖに設定する。
【００２１】
図２のステップ２２では、携帯端末１の電力増幅部６は、入力信号を取り込みこの入力信号をステップ２１で設定されている制御電圧に応じた増幅の度合いにより増幅して出力し、選択されているマッチング回路５２により電力増幅部６が増幅した入力信号を受け送信信号として切り替えスイッチ５３を介して外部に出力する。
【００２２】
図２のステップ２３では、電力計測判定装置２は、携帯端末１の出力した送信信号の送信電力を測定し規定電力と比較し、測定結果である送信電力と規定電力との差が、例えば、０．５％以下（この値にこだわることなく、システムにより適宜変更して良い。）のときに送信電力と規定電力とが同じであると判定し、送信電力と規定電力とが同じであるときに「規定電力であることを示す信号」を制御部４１に出力し、ステップ２６へ続ける。一方、送信電力が規定電力と異なるときには、「規定電力に達していないことを示す信号」や「規定電力より大であることを示す信号」を示す規定電力でないことを示す信号を制御部４１に出力する。すなわち、送信電力が規定電力より小の場合は、「規定電力に達していないことを示す信号」を制御部４１に出力し、送信電力が規定電力より大の場合は、「規定電力より大であることを示す信号」を制御部４１に出力しステップ２４へ続ける。
【００２３】
図２のステップ２４では、制御部４１は、電力計測判定装置２より「規定電力に達していないことを示す信号」を受けたときには、「制御電圧を大きくするよう指示する信号」を電圧制御部７に出力し、電力計測判定装置２より「規定電力より大であることを示す信号」を受けたときには、「制御電圧を小さくするよう指示する信号」を電圧制御部７に出力しステップ２５へ続ける。
【００２４】
図２のステップ２５では、電圧制御部７は、制御部４１より制御電圧の変更を指示する信号である「制御電圧を大きくするよう指示する信号」又は「制御電圧を小さくするよう指示する信号」を受け、「制御電圧を大きくするよう指示する信号」を受けたときには、制御電圧を予め定めた電圧分（例えば、０．２Ｖ程度。この値に固執することなく、適宜変更して良い。）増やして電力増幅部６に出力し、「制御電圧を小さくするよう指示する信号」を受けたときには、制御電圧をこの予め定めた電圧分減らして電力増幅部６に出力し、ステップ２３へ戻る。
【００２５】
これにより、増幅の度合いが変化した電力増幅部６により、入力信号が増幅され、マッチング回路５２により送信信号として切り替えスイッチ５３を介して携帯端末１の外部に出力される。
【００２６】
図２のステップ２６では、制御部４１は、電圧制御部７が出力してる制御電圧を受けこの制御電圧が予め定めた値（しきい値：例えば、２．２Ｖ程度。この値に固執することなく、適宜変更して良いが、この値は低ければ低いほど良い。）より小さいか否かを調べ、調べた結果が小さくないことを示すときに、制御電圧がしきい値未満となるマッチング回路５２を探すためにステップＳ２７へ続ける。調べた結果が予め定めた値より小さいことを示すときに、制御電圧がしきい値より小となる（すなわち、電力増幅部６で消費する電力が小であり、電力増幅部６の効率が良い）マッチング回路５２を探すことができたとしてステップＳ２８へ続ける。
【００２７】
図２のステップ２７では、制御部４１は、マッチング切り替え回路５１へマッチング回路５２の変更を指示し、ステップ２３へ戻る。一方、マッチング切り替え回路５１はマッチング回路５２の変更の指示を受け、電力計測判定装置２が現在使用している規定電力のときに、まだ選択されていないマッチング回路５２を選択する。そして、この選択したマッチング回路５２により電力増幅部６が増幅した入力信号を受けこの信号を切り替えスイッチ５３を介して送信信号として携帯端末１の外部に出力する。
【００２８】
図２のステップ２８では、制御部４１は、電力計測判定装置２で使用している規定電力の値と電圧制御部７が出力している制御電圧の値とマッチング手段５により選択されているマッチング回路５２の識別子とを組にして、自携帯端末１の使用時に送信電力に適合したマッチング回路５２として指定できるようにするためにメモリ４２に記憶する。
【００２９】
このように図２のステップ２１からステップ２８の動作により、規定電力が３３ｄＢｍのときの制御電圧の値とマッチング回路５２の識別子とをメモリ４２に記憶する。
【００３０】
同様にして、図２のステップ２１の初期設定で判定器２２等で使用する規定電力を３１ｄＢｍから５ｄＢｍまで２ｄＢｍ間隔で１４段階分設定し、それぞれの設定毎にステップ２１からステップ２８までの動作を行うことにより、３１ｄＢｍから５ｄＢｍまで１４段階分の制御電圧の値とマッチング回路５２の識別子とをメモリ４２に記憶する。
【００３１】
このようにして記憶した３３ｄＢｍから５ｄＢｍまで１５段階分の制御電圧の値とマッチング回路５２の識別子とを、携帯端末１の使用時に、次のように使用することができる。
【００３２】
すなわち、切り替えスイッチ５３をマッチング回路５２の出力する送信信号をアンテナ３に出力するように切り替えて携帯端末１を使用している時、送信電力の変更があったときにこの変更された送信電力と同じ値の規定電力の値をメモリ４２より検索しこの規定電力の値と組にして記憶された制御電圧の値とマッチング回路５２の識別子とを取り出し、この識別子に対応するマッチング回路５２に切り替える。また、この制御電圧の値の制御電圧を電圧制御部７に設定する。
【００３３】
これにより、送信電力の変更があってからこの送信電力に適合した、電力増幅部６の効率の良いマッチング回路５２に即座に切り替えることができる。
【００３４】
【発明の効果】
以上説明したように、本発明の携帯端末の出荷時調整方式によれば、電力計測判定装置により、携帯端末が出力する送信信号の送信電力を測定し、測定結果が規定電力でないときに「規定電力でないことを示す信号」を出力し、規定電力であるときに「規定電力であることを示す信号」を出力し、携帯端末により、送信すべき入力信号を増幅して複数のマッチング回路のうちから選択したマッチング回路を介して送信信号として出力するとともに、電力計測判定装置より「規定電力でないことを示す信号」を受けたときには入力信号の増幅の度合いを変化させ、「規定電力であることを示す信号」を受けたときには規定電力の値と選択されているマッチング回路の識別子とを記憶するため、携帯端末の出荷時の調整時に、規定電力の値とこの規定電力に適合したマッチング回路の識別子とを記憶するので、携帯端末の使用時に、この記憶した規定電力の値とこの規定電力に適合したマッチング回路の識別子とを読み出すことにより、送信電力に適合するマッチング回路を探し出せる。このため、携帯端末の使用時に、送信電力に適合するマッチング回路を探し出すのに時間が掛からず、マッチング回路を探し出す間マッチング不整合の状態とならない。
【図面の簡単な説明】
【図１】本発明の携帯端末の出荷時調整方式の一つの実施の形態を示すブロック図である。
【図２】本発明の実施の形態の動作の一例を示す流れ図である。
【符号の説明】
１    携帯端末
２    電力計測判定装置
３    アンテナ
４    制御手段
５    マッチング手段
６    電力増幅部
７    電圧制御部
２１    電力測定器
２２    判定器
４１    制御部
４２    メモリ
５１    マッチング切り替え回路
５２    マッチング回路
５３    切り替えスイッチ
【図１】
2005020132.tif 000003
【図２】
2005020132.tif 000004